(57)【要約】 【課題】本考案は、残存型枠を枠組する際に、プレート本体に穴を穿設する加工を一切必要とせず、段積したプレート本体を連結固定に使用するボルトの締付けが容易で危険がなく、取付けたボルトの頭がプレート本体の表面から露出せずきれいに施工でき、且つ、コンクリート構造物との固着性が高い残存型枠を提供することを目的とする。【解決手段】コンクリート製で四角形状のプレート本体（１）と、そのプレート本体（１）に埋設した網状体（２）とから成り、且つ、前記プレート本体（１）の裏面（1a）に多数の溝穴（1b）あるいは前記プレート本体（１）に多数の貫通穴（1c）等を穿設した残存型枠において、前記プレート本体（１）には、その前記裏面（1a）の少なくとも四隅に、前記裏面（1a）と面一にインサートナット（３）を埋設させる。【選択図】図１
0003121831.tif 000002
【実用新案登録請求の範囲】
【請求項１】
コンクリート製で四角形状のプレート本体（１）と、そのプレート本体（１）に埋設した網状体（２）とから成り、且つ、前記プレート本体（１）の裏面（1a）に多数の溝穴（1b）あるいは前記プレート本体（１）に多数の貫通穴（1c）等を穿設した残存型枠において、前記プレート本体（１）には、その前記裏面（1a）の少なくとも四隅に、前記裏面（1a）と面一にインサートナット（３）を埋設させたことを特徴とする残存型枠。
【請求項２】
前記インサートナット（３）が、その雌ネジ穴（3a）に嵌合するキャップ（４）を装着させた請求項１記載の残存型枠。
【請求項３】
前記インサートナット（３）が、その雌ネジ穴（3a）にボルト（５）を螺合させた請求項１記載の残存型枠。
【請求項４】
前記インサートナット（３）が、その雌ネジ穴（3a）と反対の一端側を前記網状体（２）に溶着させた請求項１，２，３記載の残存型枠。
【考案の詳細な説明】
【技術分野】
【０００１】
本考案はコンクリート製の構造物を施工する際に、そのものが構造物のコンクリート打設用の型枠として枠組され、打設コンクリートが固化後にコンクリート構造物の表面にそのまま残存するタイプの残存型枠に関する。
【背景技術】
【０００２】
従来、コンクリート製の構造物を施工する際に、構造物のコンクリート打設用の型枠として枠組し、打設コンクリートが固化後にコンクリート表面に固着し残存して型枠を取り外すことのないコンクリート製の残存型枠が知られている。この残存型枠を枠組する際に、並べて段積した残存型枠は上下及び左右の接続を連結金具で固定しながら行っていた。
【０００３】
この残存型枠としては、特開平１０−２９２３９９号，特開平１０−３０６４６１号，特開２００５−３３０７５５号等がある。これらはコンクリート製のプレート本体と、その内部に埋設した網状体等の補強部材とから成り、且つ、プレート本体に多数の貫通穴や裏面側に溝穴を穿設したものもある。この貫通穴や溝穴は、プレート本体とコンクリート構造物との固着性を高める役目と、コンクリートを打設する際に、空気溜りができない役目を成している。
【０００４】
そして、この手の残存型枠を枠組するには、貫通穴を穿設したものはその貫通穴を利用し、溝穴の場合はその溝穴を貫通させて貫通穴にし、それぞれの貫通穴を利用してボルトを挿入し、連結プレートとネジで段積した残存型枠を連結固定させていた。
【特許文献１】特開２００５−３３０７５５号公報
【特許文献２】特開平１０−２９２３９９号公報
【特許文献３】特開平１０−３０６４６１号公報
【考案の開示】
【考案が解決しようとする課題】
【０００５】
前記特開平１０−２９２３９９号，特開平１０−３０６４６１号等の残存型枠においては、貫通穴を利用して残存型枠を枠組するため、その貫通穴に挿通したボルトの頭が枠組した残存型枠の表面に露出し、見栄えが悪く、しかもボルトとナットの両方を用意し、両者を人がプレート本体の両側から螺合させる連結固定であるから枠組に手間が掛かり、且つ、ボルトをプレート本体の外側から挿入するため、高所での作業に危険を伴う等の問題点を有していた。
【０００６】
また、特開２００５−３３０７５５号のように溝穴を穿設した残存型枠においては、プレート本体を段積し連結するのに、溝穴を貫通させて、ボルトが貫通可能な貫通穴を穿設する加工を必要とし、このことは多数枚のプレート本体に一枚ずつ貫通穴を穿設する手間を要し、枠組の作業性が極めて悪いという別の問題点も有していた。
【０００７】
更に、プレート本体にインサートナットを取付けた場合、プレート本体を製造する際にインサートナットの雌ネジ穴に打設コンクリートが入り込み易く、一度入ったコンクリートにおいてはしばしば雌ネジ穴がふさがって使用できないという問題点があった。
【０００８】
本考案は、上記問題に鑑みこれを解消するものであり、つまり、残存型枠を枠組する際に、プレート本体に穴を穿設する加工を一切必要とせず、段積したプレート本体を連結固定に使用するボルトの締付けが容易で危険がなく、取付けたボルトの頭がプレート本体の表面から露出せずきれいに施工でき、且つ、コンクリート構造物との固着性が高い残存型枠を提供することを目的とする。
【０００９】
本考案の他の目的は、プレート本体を製造する際に、インサートナットの雌ネジ穴に打設コンクリートが入らず、且つ、保管中においても雌ネジ穴に異物が入ったり傷が付くのを防止できる残存型枠を提供するにある。
【課題を解決するための手段】
【００１０】
コンクリート製で四角形状のプレート本体（１）と、そのプレート本体（１）に埋設した網状体（２）とから成り、且つ、前記プレート本体（１）の裏面（1a）に多数の溝穴（1b）あるいは前記プレート本体（１）に多数の貫通穴（1c）等を穿設した残存型枠において、前記プレート本体（１）には、その前記裏面（1a）の少なくとも四隅に、前記裏面（1a）と面一にインサートナット（３）を埋設させる。
【００１１】
前記インサートナット（３）が、その雌ネジ穴（3a）に嵌合するキャップ（４）を装着させるのが好ましい。
【００１２】
前記インサートナット（３）が、その雌ネジ穴（3a）にボルト（５）を螺合させるのが好ましい。
【００１３】
前記インサートナット（３）が、その雌ネジ穴（3a）と反対の一端側を前記網状体（２）に溶着させるのが好ましい。
【考案の効果】
【００１４】
本考案は、溝穴（1b）や貫通穴（1c）を穿設した四角形状でコンクリート製のプレート本体（１）に対し、その裏面（1a）の少なくとも四隅にインサートナット（３）を埋設したことにより、前記貫通穴（1c）や前記溝穴（1b）がプレート本体（１）とコンクリート構造物との固着性を高める点、ボルトを螺合したインサートナット（３）の部分においても螺合したボルトが構造物側に埋設固定されてプレート本体（１）とコンクリート構造物とを強く固着させる点、そしてボルトの頭がプレート本体（１）の表面から出ないのできれいに施工できる点等を同時に満足するものである。
【００１５】
また本考案は、インサートナット（３）の雌ネジ穴（3a）に嵌合するキャップ（４）を装着したことにより、プレート本体（１）を製造する際に、キャップ（４）が雌ネジ穴（3a）を封鎖しているため、雌ネジ穴（3a）内にコンクリートが入らず、雌ネジ穴（3a）内にコンクリートが入り固着して雌ネジ穴（3a）が使用できなくなるのを完全に防止できる。
【００１６】
また本考案は、インサートナット（３）の雌ネジ穴（3a）にボルト（５）を螺合させているため、前記キャップ（４）と同様に雌ネジ穴（3a）にはコンクリートが入らず、且つ、螺合したボルト（５）は枠組時に雌ネジ穴（3a）から脱着させて、枠組に使用することができる。
【００１７】
インサートナット（３）を網状体（２）に溶着させたことにより、プレート本体（１）を枠組した後、インサートナット（３）が打設コンクリートの側圧で強く引張られても、引張力はインサートナット（３）が位置するプレート本体（１）の部分に集中せず、網状体（２）によって分散され、インサートナット（３）がプレート本体（１）から抜けるのを防止でき、安全性を高める効果を成す。
【考案を実施するための最良の形態】
【００１８】
以下、本考案の実施形態につき図を基に説明する。図１、図２は本考案の残存型枠を示す断面図、図３は本考案の平面図、図４は本考案のインサートナットにキャップを装着した状態を示す要部断面図、図５は本考案のインサートナットにボルトを螺合した状態を示す要部断面図である。
【００１９】
先ず、図１〜３において、 (１)はコンクリート製で四角形状のプレート本体であり、該プレート本体（１）には、図１に示すように多数の溝穴（1b）あるいは図２の如く多数の貫通穴（1c）を穿設させている。この溝穴（1b）及び貫通穴（1c）は、コンクリート構造物の打設コンクリートとの固着性を高めることを主とし、貫通穴（1c）においては、打設コンクリートが貫通穴（1c）から流出することにより、コンクリートが空洞なく充分打設されていることを確認できることにある。
【００２０】
（２）はプレート本体（１）の内部に全部が埋設された網状体であり、該網状体（２）はプレート本体（１）を補強するためのものである。また前記網状体（２）には表面処理した金網，抜穴金網板が用いられ、特にエキスパンドメタルが特有な網目形状からして強度的な面、プレート本体（１）との結合性及び安価の面で使用するのが好ましい。又、網状体（２）の表面処理としてはメッキ処理，塗装処理等を施す。この時、ダブルコートカチオン電着塗装を施すと、防錆効果が極めて高く特に好ましいものとなる。尚、このダブルコートカチオン電着塗装とは、従来のカチオン電着塗装を２回行う塗装方法であり、これは従来１回のカチオン電着塗装では塗装される物の塗面の平滑性を求めるとエッジ部の塗装がされず、この耐エッジ部の防食性と塗面平滑性を解消するための塗装方法である。即ち、第１回の電着では耐エッジ防食性だけの機能を持たせ、それによって生じる塗面平滑性の低下は第２回の電着によってカバーしようとするものである。このダブルコートカチオン電着塗装では、網状体（２）がエキスパンドメタルである場合に、そのエッジ部が特に多いため、そのエッジ部の塗装を良く行える極めて有効な防錆効果であり、耐久性を高める。
【００２１】
(３)はプレート本体（１）の裏面（1a）の少なくとも四隅に、裏面（1a）と面一に埋設したインサートナットである。このインサートナット（３）は、外形を段付のものが抜け防止の面で好ましく、しかもステンレス製が防錆の点でよい。またインサートナット（３）を設けるのは、プレート本体（１）を枠組する際に、互いのプレート本体（１）が連結金具を使用して、ボルトをインサートナット（３）の雌ネジ穴（3a）に螺合させ強固に固定するためのものである。またインサートナット（３）の本数は、プレート本体（１）の四隅の４本以外に、プレート本体（１）の大きさに応じて複数本増加すればよい。
【００２２】
次に請求項２においては、図４に示すように、インサートナット（３）の雌ネジ穴（3a）にキャップ（４）を嵌合させている。このキャップ（４）はゴム，プラスチック製の軟質材で雌ネジ穴（3a）に嵌めて被せるものである。これはプレート本体（１）を製造する際に雌ネジ穴（3a）内にコンクリートが入り込まないためのものである。従って、キャップ（４）はインサートナット（３）に予め嵌着させておき、プレート本体（１）のコンクリートを打設してプレート本体（１）を製造することにより、製造時における雌ネジ穴（3a）内にコンクリートが入らず、且つ、保管する場合においても雌ネジ穴（3a）内に土，小石，砂等の異物が入るのを防止でき、残存型枠として使用する際にキャップ（４）を外して使用すれば雌ネジ穴（3a）とボルトとの螺合が確実となる。
【００２３】
また請求項３においては、図５に示すように、インサートナット（３）の雌ネジ穴（3a）にボルト（５）を螺合させたものである。このボルト（５）は予め雌ネジ穴（3a）に螺合させておき、プレート本体（１）を製造する。これにより、前記キャップ（４）と同様にプレート本体（１）の打設コンクリートが雌ネジ穴（3a）内に入り込むのを防止でき、且つ、残存型枠として使用する際には、雌ネジ穴（3a）から外したボルト（５）が枠組にそのまま使用できる。
【００２４】
また請求項４においては、図４、５の如く、インサートナット（３）の雌ネジ穴（3a）と反対の一端側を網状体（２）に溶着させている。これにより、構造物の打設コンクリートによる側圧を受けてインサートナット（３）が部分的に引張られても、網状体（２）に引張力が分散し、インサートナット（３）がプレート本体（１）から抜けるのを防止できる。
【図面の簡単な説明】
【００２５】
【図１】本考案の溝穴を有する残存型枠を示す断面図である。
【図２】本考案の貫通穴のある残存型枠を示す断面図である。
【図３】本考案の平面図である。
【図４】本考案のキャップを装着した状態を示す要部断面図である。
【図５】本考案のボルトを螺合した状態を示す要部断面図である。
【符号の説明】
【００２６】
１  プレート本体
1a  裏面
1b  溝穴
1c  貫通穴
２  網状体
３  インサートナット
3a  雌ネジ穴
４  キャップ
５  ボルト
【図１】
0003121831.tif 000003
【図２】
0003121831.tif 000004
【図３】
0003121831.tif 000005
【図４】
0003121831.tif 000006
【図５】
0003121831.tif 000007
【手続補正書】
【提出日】平成18年3月14日(2006.3.14)
【手続補正１】
【補正対象書類名】実用新案登録請求の範囲
【補正対象項目名】全文
【補正方法】変更
【補正の内容】
【実用新案登録請求の範囲】
【請求項１】
コンクリート製で四角形状のプレート本体（１）と、そのプレート本体（１）に埋設した網状体（２）とから成り、且つ、前記プレート本体（１）の裏面（1a）に多数の溝穴（1b）あるいは前記プレート本体（１）に多数の貫通穴（1c）等を穿設した残存型枠において、前記プレート本体（１）には、その前記裏面（1a）の少なくとも四隅に、前記裏面（1a）と面一にインサートナット（３）を埋設させたことを特徴とする残存型枠。
【請求項２】
前記インサートナット（３）が、その雌ネジ穴（3a）に嵌合するキャップ（４）を装着させた請求項１記載の残存型枠。
【請求項３】
前記インサートナット（３）が、その雌ネジ穴（3a）にボルト（５）を螺合させた請求項１記載の残存型枠。
【請求項４】
前記インサートナット（３）が、その雌ネジ穴（3a）と反対の一端側を前記網状体（２）に溶着させた請求項１〜３のいずれか１項に記載の残存型枠。